【手続補正書】
【提出日】平成19年11月8日(2007.11.8)
【手続補正１】
【補正対象書類名】明細書
【補正対象項目名】発明の名称
【補正方法】変更
【補正の内容】
【発明の名称】アニメーション再生する方法、アニメーション再生する装置
【手続補正２】
【補正対象書類名】明細書
【補正対象項目名】特許請求の範囲
【補正方法】変更
【補正の内容】
【特許請求の範囲】
【請求項１】
パラメータを含む指示で構成される指示列に従って、画像レイヤ列をアニメーション再生する方法であって、
（ａ）  前記画像レイヤ列のうちの現在の画像レイヤに対して、前記指示列のうちの現在の指示を適用し、
（ｂ）  前記現在の指示に含まれているパラメータが第１の値を有する場合には、前記画像レイヤ列のうちの次の画像レイヤに対して、前記指示列のうちの次の指示を適用し、
（ｃ）  前記現在の指示に含まれているパラメータが第２の値を有する場合には、
（ｄ）  前記第２の値に基づいて整数Ｎを決定し、
（ｅ）  前記現在の画像レイヤに対して、前記現在の指示以降のＮ番目の指示を適用し、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする方法。
【請求項２】
前記工程（ｂ）と前記工程（ｃ）との間において、更に、
（ｆ）  前記現在の指示に含まれているパラメータが第２の値を有する場合には、（ｇ）前記現在の指示に含まれているパラメータと（ｈ）その前の指示群に含まれているパラメータ群、のうち少なくとも１つに従って、前記現在の指示に続く（Ｎ−１）個の指示を、連続的に前記画像レイヤ列に対して適用することを特徴とする請求項１に記載の方法。
【請求項３】
前記工程（ａ）〜（ｃ）と前記工程（ｆ）は、複数回繰り返されることを特徴とする請求項２に記載の方法。
【請求項４】
前記方法は複数回繰り返されることを特徴とする請求項３に記載の方法。
【請求項５】
パラメータを含む指示で構成される指示列に従って、画像レイヤ列をアニメーション再生する方法であって、
（ａ）  前記画像レイヤ列のうちの現在の画像レイヤに対して、前記指示列のうちの現在の指示を適用し、
（ｂ）  前記現在の指示に含まれているパラメータが第１の値を有する場合には、前記画像レイヤ列のうちの次の画像レイヤに対して、前記指示列のうちの次の指示を適用し、
（ｃ）  前記現在の指示に含まれているパラメータが第２の値を有する場合には、
（ｄ）  前記第２の値に基づいてリファレンスを決定し、
（ｅ）  前記現在の画像レイヤに対して、前記リファレンスによって識別される指示を適用し、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする方法。
【請求項６】
パラメータを含む指示で構成される指示列に従って、画像レイヤ列をアニメーション再生する装置であって、
（ａ）  前記画像レイヤ列のうちの現在の画像レイヤに対して、前記指示列のうちの現在の指示を適用する手段と、
（ｂ）  前記現在の指示に含まれているパラメータが第１の値を有する場合には、前記画像レイヤ列のうちの次の画像レイヤに対して、前記指示列のうちの次の指示を適用する手段と、
（ｃ）  前記現在の指示に含まれているパラメータが第２の値を有する場合には、
（ｄ）  前記第２の値に基づいて整数Ｎを決定し、
（ｅ）  前記現在の画像レイヤに対して、前記現在の指示以降のＮ番目の指示を適用する手段とを備え、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする装置。
【請求項７】
パラメータを含む指示で構成される指示列に従って、画像レイヤ列をアニメーション再生する装置であって、
（ａ）  前記画像レイヤ列のうちの現在の画像レイヤに対して、前記指示列のうちの現在の指示を適用する手段と、
（ｂ）  前記現在の指示に含まれているパラメータが第１の値を有する場合には、前記画像レイヤ列のうちの次の画像レイヤに対して、前記指示列のうちの次の指示を適用する手段と、
（ｃ）  前記現在の指示に含まれているパラメータが第２の値を有する場合には、
（ｄ）  前記第２の値に基づいてリファレンスを決定し、
（ｅ）  前記現在の画像レイヤに対して、前記リファレンスによって識別される指示を適用する手段とを備え、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする装置。
【請求項８】
コンピュータに請求項１乃至５の何れか１項に記載の方法を実行させるためのプログラム。
【請求項９】
請求項８に記載のプログラムを格納した、コンピュータ読み取り可能な記憶媒体。
【手続補正３】
【補正対象書類名】明細書
【補正対象項目名】０００８
【補正方法】変更
【補正の内容】
【０００８】
【課題を解決するための手段】
本発明の目的を達成するために、例えば、本発明のアニメーション再生する方法は、以下の構成を備える。
即ち、パラメータを含む指示で構成される指示列に従って、画像レイヤ列をアニメーション再生する方法であって、
（ａ）  前記画像レイヤ列のうちの現在の画像レイヤに対して、前記指示列のうちの現在の指示を適用し、
（ｂ）  前記現在の指示に含まれているパラメータが第１の値を有する場合には、前記画像レイヤ列のうちの次の画像レイヤに対して、前記指示列のうちの次の指示を適用し、
（ｃ）  前記現在の指示に含まれているパラメータが第２の値を有する場合には、
（ｄ）  前記第２の値に基づいて整数Ｎを決定し、
（ｅ）  前記現在の画像レイヤに対して、前記現在の指示以降のＮ番目の指示を適用し、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする。
【手続補正４】
【補正対象書類名】明細書
【補正対象項目名】０００９
【補正方法】変更
【補正の内容】
【０００９】
本発明の目的を達成するために、例えば、本発明のアニメーション再生する方法は、以下の構成を備える。
即ち、パラメータを含む指示で構成される指示列に従って、画像レイヤ列をアニメーション再生する方法であって、
（ａ）  前記画像レイヤ列のうちの現在の画像レイヤに対して、前記指示列のうちの現在の指示を適用し、
（ｂ）  前記現在の指示に含まれているパラメータが第１の値を有する場合には、前記画像レイヤ列のうちの次の画像レイヤに対して、前記指示列のうちの次の指示を適用し、
（ｃ）  前記現在の指示に含まれているパラメータが第２の値を有する場合には、
（ｄ）  前記第２の値に基づいてリファレンスを決定し、
（ｅ）  前記現在の画像レイヤに対して、前記リファレンスによって識別される指示を適用し、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする。
【手続補正５】
【補正対象書類名】明細書
【補正対象項目名】００１０
【補正方法】変更
【補正の内容】
【００１０】
本発明の目的を達成するために、例えば、本発明のアニメーション再生する装置は、以下の構成を備える。
即ち、パラメータを含む指示で構成される指示列に従って、画像レイヤ列をアニメーション再生する装置であって、
（ａ）  前記画像レイヤ列のうちの現在の画像レイヤに対して、前記指示列のうちの現在の指示を適用する手段と、
（ｂ）  前記現在の指示に含まれているパラメータが第１の値を有する場合には、前記画像レイヤ列のうちの次の画像レイヤに対して、前記指示列のうちの次の指示を適用する手段と、
（ｃ）  前記現在の指示に含まれているパラメータが第２の値を有する場合には、
（ｄ）  前記第２の値に基づいて整数Ｎを決定し、
（ｅ）  前記現在の画像レイヤに対して、前記現在の指示以降のＮ番目の指示を適用する手段とを備え、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする。
【手続補正６】
【補正対象書類名】明細書
【補正対象項目名】００１１
【補正方法】変更
【補正の内容】
【００１１】
本発明の目的を達成するために、例えば、本発明のアニメーション再生する装置は、以下の構成を備える。
即ち、パラメータを含む指示で構成される指示列に従って、画像レイヤ列をアニメーション再生する装置であって、
（ａ）  前記画像レイヤ列のうちの現在の画像レイヤに対して、前記指示列のうちの現在の指示を適用する手段と、
（ｂ）  前記現在の指示に含まれているパラメータが第１の値を有する場合には、前記画像レイヤ列のうちの次の画像レイヤに対して、前記指示列のうちの次の指示を適用する手段と、
（ｃ）  前記現在の指示に含まれているパラメータが第２の値を有する場合には、
（ｄ）  前記第２の値に基づいてリファレンスを決定し、
（ｅ）  前記現在の画像レイヤに対して、前記リファレンスによって識別される指示を適用する手段とを備え、
前記画像レイヤ列のうちの対応する画像レイヤ列に対する、前記指示列のうちの連続する指示のアプリケーションは、前記対応する画像レイヤ列のうち少なくとも幾つかによる合成画像を形成し、当該合成画像はアニメーションとして表示されることを特徴とする。